(57)【要約】【課題】既存部分と新設部分とを仕上がり良く連続させることができ、しかも、環境負荷も小さく、加えて、既存部分の壁厚を小さく抑え、そして、それらを、施工容易でかつコスト的に有利に実現できる間仕切り壁の構造を提供する。【解決手段】既存の柱１と新設の柱４とが備えられ、新設柱４は、柱本体５に、該柱本体５とは別体の水平下地材取付け用アタッチメント６を取り付けたものからなっており、既存柱１に、新設柱４のアタッチメント６と同じアタッチメント６が取り付けられ、既存柱１と新設柱４とに通しでこれら柱１，４のアタッチメント６，６に水平下地材７が取り付けられ、該水平下地材７を下地として化粧面材８が取り付けられている。【選択図】      図１
2011137307.tif 000002
【特許請求の範囲】
【請求項１】
既存の柱と新設の柱とが備えられ、
新設柱は、柱本体に、該柱本体とは別体の水平下地材取付け用アタッチメントを取り付けたものからなっており、
既存柱に、新設柱のアタッチメントと同じアタッチメントが取り付けられ、
既存柱と新設柱とに通しでこれら柱のアタッチメントに水平下地材が取り付けられ、該水平下地材を下地として間仕切り面材が取り付けられていることを特徴とする間仕切り壁の構造。
【発明の詳細な説明】
【技術分野】
【０００１】
本発明は、間仕切り壁の構造に関する。
【背景技術】
【０００２】
図８（イ）に示すように、例えば、室を間仕切り壁により２室分割から３室分割に変更する方法として、
・  図８（ロ）に示すように、Ａ部分の間仕切り壁を残したまま、Ｂ部分に間仕切り壁を増設する第１の方法と、
・  図８（ハ）に示すように、Ａ部分の間仕切り壁を撤去した後、Ａ部分とＢ部分とに通しで間仕切り壁を新設する第２の方法と、
・  図８（ニ）に示すように、Ａ部分の間仕切り壁を残したまま、Ａ部分とＢ部分とに通しで間仕切り壁を新設する第３方法と
が考えられる。
【先行技術文献】
【特許文献】
【０００３】
【特許文献１】特開２００１−６５０８５号公報
【特許文献２】特開昭５１−７８５２８号公報
【発明の概要】
【発明が解決しようとする課題】
【０００４】
しかしながら、第１の方法では、Ａ部分の間仕切り壁と、Ｂ部分の間仕切り壁とを仕上がり良く連続させるのが難しく、また、Ｂ部分の間仕切り壁の仕上がりがＡ部分の間仕切り壁によって制約されてしまいやすいという問題がある。
【０００５】
また、第２の方法では、Ａ部分の間仕切り壁の撤去に手間と費用を要し、環境負荷も大きいという問題がある。
【０００６】
更に、第３の方法では、Ａ部分の壁厚が無駄に大きくなり洋室３を狭くしてしまうという問題がある。
【０００７】
本発明は、上記のような問題点に鑑み、既存部分と新設部分とを仕上がり良く連続させることができると共に、新設部分の仕上がりが既存部分によって制約されるのを防ぐことができ、しかも、環境負荷も小さくすることができ、加えて、既存部分の壁厚を小さく抑えることができ、そして、それを、施工容易でかつコスト的に有利に実現することができる間仕切り壁の構造を提供することを課題とする。
【課題を解決するための手段】
【０００８】
上記の課題は、既存の柱と新設の柱とが備えられ、
新設柱は、柱本体に、該柱本体とは別体の水平下地材取付け用アタッチメントを取り付けたものからなっており、
既存柱に、新設柱のアタッチメントと同じアタッチメントが取り付けられ、
既存柱と新設柱とに通しでこれら柱のアタッチメントに水平下地材が取り付けられ、該水平下地材を下地として間仕切り面材が取り付けられていることを特徴とする間仕切り壁の構造によって解決される。
【０００９】
この構造では、既存柱と新設柱とに通しで水平下地材が取り付けられ、該水平下地材を下地として間仕切り面材が取り付けられているので、既存柱と新設柱とに通しで取り付けられた水平下地材の作用により、既存部分と新設部分とを仕上がり良く連続させることができると共に、新設部分の仕上がりが既存部分によって制約されることも防ぐことができ、しかも、既存柱を間仕切り壁の構成部材として使用するものであるから、環境負荷も小さくすることができ、既存部分の壁厚も小さく抑えることができる。
【００１０】
そして、上記の新設柱は、柱本体に、該柱本体とは別体の水平下地材取付け用アタッチメントを取り付けたものからなっており、それとの組み合わせにおいて、既存柱には、新設柱のアタッチメントと同じアタッチメントが取り付けられ、水平下地材は、既存柱と新設柱とに通しでこれら柱のアタッチメントに取り付けられた構造となっているから、新設柱のアタッチメントと既存柱用のアタッチメントとについての部品共通化を実現することができて、既存柱と新設柱とに通しにされる水平下地材の取付けを、施工容易でかつコスト的に有利に行うことができる。
【発明の効果】
【００１１】
本発明の間仕切り壁の構造は、以上のとおりのものであるから、既存部分と新設部分とを仕上がり良く連続させることができると共に、新設部分の仕上がりが既存部分によって制約されるのを防ぐことができ、しかも、環境負荷も小さくすることができ、加えて、既存部分の壁厚を小さく抑えることができる。そして、それを、施工容易でかつコスト的に有利に実現することができる。
【図面の簡単な説明】
【００１２】
【図１】第１実施形態を示すもので、図（イ）は変更前の間仕切り壁を示す断面平面図、図（ロ）は変更後の間仕切り壁を示す断面平面図、図（ハ）は、新設柱の柱本体とアタッチメント、そして、水平下地材を分離状態にして示す斜視図である。
【図２】変更後の間仕切り壁の一部切欠き正面図である。
【図３】図（イ）〜図（ハ）は、図４（ニ）（ホ）と共に、変更のための施工方法を示す断面平面図である。
【図４】図（ニ）及び図（ホ）は、図３（イ）〜（ハ）と共に、変更のための施工方法を示す断面平面図である。
【図５】図（イ）〜図（ニ）は、図６（ホ）〜（ト）と共に、変更のための施工方法を示す側面図、一部断面側面図である。
【図６】図（ホ）〜図（ト）は、図５（イ）〜（ニ）と共に、変更のための施工方法を示す側面図、一部断面側面図である。
【図７】図（イ）は第２実施形態の変更後の間仕切り壁を示す断面平面図、図（ロ）は図（イ）及び図１（ロ）のＩ−Ｉ線断面矢視図、図（ハ）は図（イ）のＩＩ−ＩＩ線断面矢視図である。
【図８】図（イ）は間仕切り壁による室の変更の前後を示す平面図、図（ロ）〜図（ニ）はそれぞれ変更のための従来の方法を示す平面図である。
【発明を実施するための形態】
【００１３】
次に、本発明の実施形態を図面に基づいて説明する。
【００１４】
図１〜図６に示す第１実施形態は、図８（イ）に示すように室を間仕切り壁により２室分割から３室分割に変更する場合に適用したもので、図１（イ）は変更前の間仕切り壁を示し、図１（ロ）は変更後の間仕切り壁を示している。
【００１５】
図１（イ）の変更前の間仕切り壁において、１は柱、２は縦下地材、３は間仕切り面材としての石こうボードであり、石こうボード３は、縦下地材２を下地としてビス等により取り付けられている。
【００１６】
また、図１（ロ）に示す変更後の間仕切り壁において、１は変更前の間仕切り壁に備えられていた既存の柱、４…は新設の柱である。各新設柱４は、柱本体５に、該柱本体５とは別体の水平下地材取付け用アタッチメント６を取り付けたものからなっていて、既存柱１には、新設柱４のアタッチメント６と同じアタッチメント６が取り付けられ、既存柱１と新設柱４…とに通しでこれら柱１，４…のアタッチメント６…に水平方向に延びる水平下地材７が取り付けられ、該水平下地材７を下地として間仕切り面材としての化粧面材８が取り付けられて、変更後の間仕切り壁を構成している。
【００１７】
即ち、上記の新設柱４において、アタッチメント６は、図１（ハ）及び図５（イ）（ロ）に示すように、両側壁を先端側に向けて内向きに傾斜させて溝形材からなり、柱本体５は、その正面部と背面部との両方にそれぞれ、アタッチメント６を半没状態に嵌合させる奥拡がり状の溝部５ａを備えたものからなり、アタッチメント６は、その底壁側、即ち基端側を柱本体５の溝部５ａ側に向けるようにして柱本体５に沿わせ、正面側から柱本体５の溝部５ａ内に強制的に嵌合すると、柱本体５に対し抜止め状態に取り付けられるようになされている。
【００１８】
また、アタッチメント６は、その両側壁の溝開口側、即ち先端側に、水平下地材７を嵌合させる奥拡がり状の切欠き６ａを有し、水平下地材７は、切欠き６ａに嵌合される部分７ａが先端側に向けて漸次広幅に形成されたものからなり、それにより、水平下地材７を正面側から切欠き６ａ内に強制的に嵌合することで、水平下地材７をアタッチメント６に抜止め状態に取り付けることができるようになされている。
【００１９】
そして、上記の切欠き６ａは、図５（イ）等に示すように、アタッチメント６の高さ方向の中間部において、上下方向に間隔をおいた複数箇所に設けられており、一つの水平下地材をいずれかの高さ位置にある切欠きに強制嵌合させて取り付けたり、あるいは、これらの切欠きを利用して、複数の水平下地材を高さ位置を異ならせてアタッチメントに取り付けることができるようになされている。
【００２０】
水平下地材７は、切欠き６ａに嵌合される部分７ａを基部側として、先部側には、化粧面材８を係合保持する上下の係合凸部７ｂ，７ｂを備えており、係合凸部７ｂが、天井面側に設けられるランナー９や、床面側のランナー１０、他の水平下地材７との協働で、化粧面材８を保持するようになされている。
【００２１】
図１（イ）から図１（ロ）への間仕切り壁の変更のための施工は、次のようにして行うことができる。即ち、図３（イ）に示すように、既存の間仕切り壁から、変更後に洋室３となる室に面する側の石こうボード３を外して、既存柱１を露出させる。
【００２２】
次いで、図５（ハ）に示すように、間仕切り壁を新設しようとする部分において、天井面１１側と床面１２側とに溝形のランナー９，１０を取り付け、新設柱４を、その上下の端部が上下のランナー９，１０内に収まるように設置する。
【００２３】
新設柱４の柱本体５、及び、上下のランナー９，１０の設置位置は、図３（ロ）（ハ）及び図４（ニ）に示すように、柱本体５にアタッチメント６を嵌合し、既存柱１にもアタッチメント６を取り付けた状態で、既存柱１のアタッチメント６の出と、新設柱４のアタッチメント６の出とが一致するような位置に決められている。なお、既存柱１へのアタッチメント６の取付けは、図３（ハ）及び図４（ニ）に示すように、ビス１３で行われている。
【００２４】
次いで、図４（ニ）及び図６（ホ）に示すように、変更後に洋室３となる室に面する側において、水平下地材７を、既存柱１と新設柱４とに通しとなるように、既存柱１のアタッチメント６の切欠き部６ａと新設柱４のアタッチメント６の切欠き部６ａとに嵌合して取り付ける。また、変更後に洋室２となる室に面する側においても、新設柱４のアタッチメント６の切欠き部６ａに水平下地材７を嵌合して取り付ける。
【００２５】
そして、図６（ヘ）（ト）及び図４（ホ）に示すように、上下の化粧面材８，８を取り付ける。即ち、化粧面材８はそれぞれ、上下の縁部に係合用の溝部８ａ，８ｂを備えており、取付けは、下側の化粧面材８の上溝部８ａを水平下地材７の下側の係合凸部７ｂに差し込んで、下側の化粧面材８の下溝部８ｂを床面側ランナー１０の立ち上がり側壁部１０ａに落とし込むと共に、上側の化粧面材８の上溝部８ａを天井面側のランナー９の垂下側壁部９ａに差し込んで、上側の化粧面材８の下溝部８ｂを水平下地材７の上係合凸部７ｂに落とし込むというようにして取り付けることができるようになされている。図４（ニ）中、１６は端部見切りである。
【００２６】
なお、既存の間仕切り壁の側には、図７（ロ）に示すように、天井面１１側と床面１２側とに幅狭な上下のランナー１４，１５が設けられ、上下の化粧面材８，８は、これら上下のランナー１４，１５の側壁部１４ａ，１５ａと、上記の水平下地材７の上下の係合凸部７ｂ，７ｂとを利用して取り付けられる。１７は幅木、１８は回り縁である。
【００２７】
上記の間仕切り壁構造では、図４（ホ）に示すように、既存柱１と新設柱４とに通しで水平下地材７が取り付けられ、該水平下地材７を下地として化粧面材８が取り付けられているので、既存柱１と新設柱４とに通しで取り付けられた水平下地材７の作用で、既存部分と新設部分とを仕上がり良く連続させることができると共に、新設部分の仕上がりが既存部分によって制約されることも防ぐことができる。しかも、既存柱１を、変更後の間仕切り壁の構成部材として使用するものであるから、環境負荷も小さくすることができ、既存部分の壁厚も小さく抑えることができる。
【００２８】
そして、新設柱４は、柱本体５に、該柱本体５とは別体の水平下地材取付け用アタッチメント６を取り付けたものからなっており、それとの組み合わせにおいて、既存柱１には、新設柱４のアタッチメント６と同じアタッチメント６が取り付けられ、水平下地材７は、既存柱１と新設柱４とに通しでこれら柱１，４のアタッチメント６…に取り付けられた構造となっているから、新設柱４のアタッチメント６と既存柱１用のアタッチメント６とについての部品共通化を実現することができて、既存柱１と新設柱４とに通しにされる水平下地材７の取付けを、施工容易でかつコスト的に有利に行うことができる。
【００２９】
図７（イ）（ハ）に示す第２実施形態は、新設の間仕切り壁の側において、２本の柱本体５，５がそれらの間からアタッチメントを排除した状態で壁厚方向に隣り合わされているもので、新設の間仕切り壁の側の遮音性能を第１実施形態の場合よりも高めることができる。
【００３０】
以上に、本発明の実施形態を示したが、本発明はこれに限られるものではなく、発明思想を逸脱しない範囲で各種の変更が可能である。例えば、新設柱を構成する柱本体とアタッチメント、水平下地材の材質や形態、間仕切り面材の種類、水平下地材に対する間仕切り面材の取付けのための構造、柱本体や既存柱に対するアタッチメントの取付けのための構造等については、種々のものが採用されてよい。
【符号の説明】
【００３１】
１…既存柱
４…新設柱
５…柱本体
６…アタッチメント
７…水平下地材
８…化粧面材（間仕切り面材）
【図１】
2011137307.tif 000003
【図２】
2011137307.tif 000004
【図３】
2011137307.tif 000005
【図４】
2011137307.tif 000006
【図５】
2011137307.tif 000007
【図６】
2011137307.tif 000008
【図７】
2011137307.tif 000009
【図８】
2011137307.tif 000010